(57)【要約】    【課題】  液体容器から液体吐出ヘッド内に供給された液体を液体吐出ノズルから吐出する液体吐出装置の液体吐出性能維持方法において、上記液体吐出ヘッド内に供給するための液体が温度低下により増粘するのを防止する。    【解決手段】  インクタンク１から供給されたインク１６をノズル面に形成されたインク吐出ノズルから吐出するプリントヘッド１０内のインク１６が温度低下により増粘するのを防止する液体吐出性能維持方法であって、上記インクタンク１に収容されたインク１６が所定の温度以下になった時に、該インクタンク１の外部に設けられたヒータ４，４でインク１６を間接的に加熱して一定温度以上に保持するものである。これにより、プリントヘッド３内に供給するためにインクタンク１内に収容されたインク１６が温度低下により増粘するのを防止して、インク吐出性能を維持することができる。【選択図】  図１
2005131829.tif 000002
【特許請求の範囲】
【請求項１】
所定の液体を収容する液体容器から供給された液体をノズル面に形成された液体吐出ノズルから吐出する液体吐出ヘッド内の液体が温度低下により増粘するのを防止する液体吐出性能維持方法であって、
上記液体吐出ヘッド内に供給するための液体が所定の温度以下になった時に、該液体を間接的に加熱して一定温度以上に保持することを特徴とする液体吐出性能維持方法。
【請求項２】
所定の液体を収容する液体容器と、
この液体容器内に収容された液体の供給流路となる液体供給管と、
この液体供給管により上記液体容器内の液体が供給され、該液体をノズル面に形成された液体吐出ノズルから吐出する液体吐出ヘッドと、
を備えて成る液体吐出装置において、
上記液体吐出ヘッド内に供給するための液体と非接触となる部位に、該液体を間接的に加熱して一定温度以上に保持する液体加熱保温手段を備えたことを特徴とする液体吐出装置。
【請求項３】
上記液体加熱保温手段は、発熱温度が制御可能とされたヒータから成ることを特徴とする請求項２記載の液体吐出装置。
【請求項４】
上記液体加熱保温手段は、上記液体容器の外側に設けたことを特徴とする請求項２記載の液体吐出装置。
【請求項５】
上記液体加熱保温手段は、上記液体供給管の外側に設けたことを特徴とする請求項２記載の液体吐出装置。
【請求項６】
上記液体加熱保温手段は、上記液体供給管の途中に設けられ上記液体容器から流出した液体を該液体容器に戻す液体還流管の外側に設けたことを特徴とする請求項２記載の液体吐出装置。
【請求項７】
上記液体加熱保温手段は、上記液体供給管の途中に設けられ上記液体容器から流出した液体を一時的に貯留しておくと共に上記液体吐出ヘッド内に供給された液体が液体還流管で戻される補助容器の外側に設けたことを特徴とする請求項２記載の液体吐出装置。
【請求項８】
上記液体加熱保温手段は、上記液体吐出ヘッド内に供給される液体の温度を検知する温度センサにより発熱温度が制御されるものであることを特徴とする請求項２記載の液体吐出装置。
【発明の詳細な説明】
【技術分野】
【０００１】
本発明は、液体容器から液体吐出ヘッド内に供給された液体を液体吐出ノズルから吐出する液体吐出装置の液体吐出性能維持方法に関し、詳しくは、上記液体吐出ヘッド内に供給するための液体を一定温度以上に保持することによって、該液体が温度低下により増粘するのを防止する液体吐出性能維持方法及び液体吐出装置に関するものである。
【背景技術】
【０００２】
従来から、液体容器から液体吐出ヘッド内に供給された液体を該液体吐出ヘッドの液体吐出ノズルから吐出する液体吐出装置として、例えばインクジェットプリンタなどの記録装置が普及している。このようなインクジェットプリンタは、プリントヘッドの下面に多数個のインク吐出ノズルが配列されており、各インク吐出ノズルに対応して設けられたインク室内には発熱素子や圧電素子などの駆動素子が形成されている。そして、この駆動素子を駆動することによって、インク室内のインクがインク吐出ノズルから吐出され、記録紙上にプリント画像を形成するようになっている。このようなインクジェットプリンタに用いられるインクは、温度によって粘度が変化する特性を有しており、特に低温では増粘する傾向がある。そのため、例えばインクの温度が低くて粘度が高いときには、インク吐出ノズルから吐出されるインクの液滴の大きさが小さくなったり、あるいは飛翔する方向がずれたりすることがあった。また、長時間の連続印刷によりプリントヘッドの温度が上昇したときには、インクの温度も高くなって粘度が低下するので、インク吐出ノズルからのインク吐出量が多くなることがあった。このような不具合は、特に低温環境下での使用時に起こり易く、その場合には印刷開始時と印刷終了時とで、プリント画像に濃淡のむらが発生することがあった。
【０００３】
このようなインクの温度低下による増粘を防止するための技術として、印刷開始前に、インク内に気泡が生じない程度の熱を発生させてプリントヘッドの予備加熱を行ない、このプリントヘッドを適当な温度範囲内になるように加熱した後で、インク吐出を行う方法が従来から知られている。例えば、インク吐出用の発熱素子に小さな駆動パルスを印加して、インクが吐出されない程度の熱を上記発熱素子に発生させる方式のものや、プリントヘッドの外部にヒータを設ける方式のものがあった。また、プリントヘッド内にインクの吐出に関与しない他の発熱素子を設け、この他の発熱素子でプリントヘッドの予備加熱を行う方式のものもあった（例えば、特許文献１参照。）。
【特許文献１】特開昭６２−２２０３４５号公報  （第４〜６頁、第１図）
【発明の開示】
【発明が解決しようとする課題】
【０００４】
しかし、このような従来の技術においては、いわゆるシリアル型のプリントヘッドのインクジェットプリンタに適用されたものであって、いわゆるライン型のプリントヘッドのインクジェットプリンタに適用することは困難であった。すなわち、ライン型のプリントヘッドのインクジェットプリンタは、ノズル面に形成された多数個のインク吐出ノズルから同時にインクを吐出するようになっていたので、単位時間あたりのインクの消費量が多く、上述した発熱素子ではプリントヘッド内のインクを十分に加熱できないという問題点があった。この場合には、インク吐出ノズルから吐出されるインクの液滴の大きさが均一にならず、プリント画像の画質が低下する虞があった。
【０００５】
そこで、本発明は、このような問題点に対処し、液体容器から液体吐出ヘッド内に供給された液体を液体吐出ノズルから吐出する液体吐出装置の液体吐出性能維持方法において、上記液体吐出ヘッド内に供給するための液体を一定温度以上に保持することによって、該液体が温度低下により増粘するのを防止する液体吐出性能維持方法及び液体吐出装置を提供することを目的とする。
【課題を解決するための手段】
【０００６】
上記目的を達成するために、本発明による液体吐出性能維持方法は、所定の液体を収容する液体容器から供給された液体をノズル面に形成された液体吐出ノズルから吐出する液体吐出ヘッド内の液体が温度低下により増粘するのを防止する液体吐出性能維持方法であって、上記液体吐出ヘッド内に供給するための液体が所定の温度以下になった時に、該液体を間接的に加熱して一定温度以上に保持するものである。
【０００７】
また、本発明による液体吐出装置は、所定の液体を収容する液体容器と、この液体容器内に収容された液体の供給流路となる液体供給管と、この液体供給管により上記液体容器内の液体が供給され、該液体をノズル面に形成された液体吐出ノズルから吐出する液体吐出ヘッドと、を備えて成る液体吐出装置において、上記液体吐出ヘッド内に供給するための液体と非接触となる部位に、該液体を間接的に加熱して一定温度以上に保持する液体加熱保温手段を備えたものである。
【発明の効果】
【０００８】
請求項１に係る液体吐出性能維持方法によれば、所定の液体を収容する液体容器から供給された液体を液体吐出ノズルから吐出する液体吐出ヘッド内に供給するための液体が所定の温度以下になった時に、該液体を間接的に加熱して一定温度以上に保持することにより、液体吐出ヘッド内に供給されるインクが温度低下により増粘するのを防止することができる。したがって、液体吐出ノズルから吐出される液体の液滴の大きさを均一にして、液体吐出性能を維持することができる。
【０００９】
また、請求項２に係る液体吐出装置によれば、所定の液体を収容する液体容器から供給された液体を液体吐出ノズルから吐出する液体吐出ヘッド内に供給するための液体と非接触となる部位に液体加熱保温手段を備えたことにより、該液体を間接的に加熱して一定温度以上に保持し、液体吐出ヘッド内に供給されるインクが温度低下により増粘するのを防止することができる。したがって、液体吐出ノズルから吐出される液体の液滴の大きさを均一にして、液体吐出性能を維持することができる。また、上記液体加熱保温手段は、液体吐出ヘッド内に供給するための液体と非接触となる部位に設けられているので、該液体が直接的に加熱されず、熱による液体の変質を防止することができる。
【００１０】
ここで、請求項３に係る発明によれば、上記液体加熱保温手段は、発熱温度が制御可能とされたヒータから成ることにより、液体吐出ヘッド内に供給するための液体の加熱を制御することができる。
【００１１】
また、請求項４に係る発明によれば、上記液体加熱保温手段は、上記液体容器の外側に設けられたことにより、該液体容器内の液体を間接的に加熱することができる。したがって、液体容器内の液体を十分に加熱してから液体吐出ヘッド内に液体を供給することができるので、ライン型のプリントヘッドの液体吐出装置に適用した場合においても、液体吐出性能を維持することができる。また、上記液体容器内には液体を加熱する手段を設けなくてよいため、該液体容器のコストを低減することができる。
【００１２】
さらに、請求項５に係る発明によれば、上記液体加熱保温手段は、上記液体供給管の外側に設けられたことにより、該液体供給管内を流れる液体を間接的に加熱することができる。したがって、たとえ液体供給管の流路が長い場合であっても、液体供給管内を流れる液体の温度低下を防止することができる。
【００１３】
さらにまた、請求項６に係る発明によれば、上記液体加熱保温手段は、上記液体供給管の途中に設けられ上記液体容器から流出した液体を該液体容器に戻す液体還流管の外側に設けられたことにより、上記液体加熱保温手段で一定温度以上に保持された液体を上記液体還流管を介して液体容器に戻すことができる。したがって、液体吐出ヘッド内に供給するために液体容器内に収容された液体が温度低下により増粘するのを防止することができる。
【００１４】
また、請求項７に係る発明によれば、上記液体加熱保温手段は、上記液体供給管の途中に設けられ上記液体容器から流出した液体を一時的に貯留しておくと共に上記液体吐出ヘッド内に供給された液体が液体還流管で戻される補助容器の外側に設けられたことにより、上記液体加熱保温手段で一定温度以上に保持されて液体吐出ヘッド内に供給された液体を液体還流管を介して補助容器に戻すことができる。したがって、液体吐出ヘッド内に供給するために補助容器内に収容された液体が温度低下により増粘するのを防止することができる。
【００１５】
そして、請求項８に係る発明によれば、上記液体加熱保温手段は、上記液体吐出ヘッド内に供給される液体の温度を検知する温度センサにより発熱温度が制御されるものであることにより、液体吐出ヘッド内に供給される液体の温度が温度センサで検知され、液体加熱保温手段の発熱温度を制御することができる。したがって、上記液体吐出ヘッド内に供給される液体を一定温度以上に保持することができる。
【発明を実施するための最良の形態】
【００１６】
以下、本発明の実施形態を添付図面に基づいて詳細に説明する。
図１は、本発明による液体吐出性能維持方法の実施形態を示す説明図である。この液体吐出性能維持方法は、インクタンク（液体容器）１内からインク供給管（液体供給管）２を介してプリントヘッド（液体吐出ヘッド）３内に供給されたインク（所定の液体）１６を、該プリントヘッド３の下面のノズル面から吐出する液体吐出性能を維持する方法であって、上記プリントヘッド３内に供給されるインク１６の温度が低下して該インク１６が増粘するのを防止するものである。ここで、本発明による液体吐出性能維持方法においては、上記プリントヘッド３内に供給するためにインクタンク１内に収容されたインク１６が所定の温度以下になった時に、該インク１６を間接的に加熱して一定温度以上に保持するものである。これにより、上記プリントヘッド３内のインク１６の温度が低下して増粘するのを防止することができる。したがって、低温環境下で使用した場合でも、印刷開始時と印刷終了時とで、インク吐出性能が維持されるようになり、プリント画像に濃淡のむらが発生しないようにすることができる。
【００１７】
次に、この液体吐出方法を実現するための装置構成を以下に説明する。
図１は、本発明による液体吐出装置としてのインクジェットプリンタの実施形態を示す概要図である。このインクジェットプリンタは、インクジェットプリンタ用のインク１６が収容されたインクタンク１内からインク供給管２を介してプリントヘッド３に供給されたインク１６を、図２に示すインク吐出ノズル１０から吐出するものであって、図１に示すように、インクタンク１と、インク供給管２と、プリントヘッド３とを有し、さらにヒータ４と、ヒータ制御回路５と、温度センサ６とを備えて成るものである。
【００１８】
上記インクタンク１は、インク１６を収容する液体容器であって、例えばポリプロピレンのような丈夫で耐熱性に優れた樹脂材料等を射出成形して箱状に形成されており、インクタンクホルダ７の内側に着脱可能とされている。このインクタンク１は、その底面中央部にゴム栓８が取り付けられている。これにより、インクタンクホルダ７の内部にインクタンク１が装着されたときに、後述するインク供給管２によってゴム栓８に貫通孔が空けられて、インクタンク１内のインク１６がインク供給管２を流出するようになっている。
【００１９】
このインク供給管２は、インクタンク１内のインク１６を後述するプリントヘッド３に供給する流路となるものであって、その上端部は中空の針状となっており、インクタンク１のゴム栓８を貫通できるようになっている。このインク供給管２の途中にはインク調整弁９が設けられている。このインク調整弁９は、インクタンク１内からインク供給管２を通って流出してきたインクの流量を調整する手段となるもので、後述するプリントヘッド３内に供給されたインクが、図２（ａ）に示すように、インク吐出ノズル１０から自然漏出しないようにすることができる。
【００２０】
また、図１に示すように、インク供給管２の下端部には、プリントヘッド３が設けられている。このプリントヘッド３は、その下面のノズル面の長手方向に多数個のインク吐出ノズル１０（図２参照）が配列されたライン型のプリントヘッドとよばれるものであって、インクタンク１からインク供給管２を通って供給されたインクを、図２に示すインク吐出ノズル１０から吐出するようになっている。このプリントヘッド３は、所定の制御信号を受けてノズル面からインクの吐出動作を行うようになっている。
【００２１】
このプリントヘッド３のノズル面は、図２に示すように、基板部材１１と、バリア層１２と、ノズル部材１３とを備えて成り、上記インクタンク１からのインク１６が充填されるインク室１４内には、発熱素子（駆動素子）１５が形成されている。この基板部材１１は、インク室１４の上面を構成する部材であって、その下面側には発熱素子１５が形成されている。この発熱素子１５は、所定の制御信号を受けて発熱するようになっている。また、この基板部材１１の下面にはバリア層１２が形成されている。このバリア層１２は、インク室１４の側壁面を構成するものであって、例えば露光硬化型のドライフィルムレジストを基板部材１１の下面の全体に積層した後に、フォトリソプロセスによって不要な部分を除去することにより、所定の形状に形成されている。さらに、バリア層１２の下面にはノズル部材１３が接着されている。このノズル部材１３は、インク室１４の下面を構成するシート状の部材であって、インク１６を吐出するためのインク吐出ノズル１０が配列されている。このノズル部材１３は、例えばニッケルの電鋳技術によって形成されており、インク吐出ノズル１０の位置が発熱素子１５の位置と合致するように、すなわちインク吐出ノズル１０が発熱素子１５に対向するようにバリア層１２の下面に貼り合わされている。
【００２２】
これにより、図１に示すインクタンク１からインク供給管２を通ってプリントヘッド３内に供給されたインクは、図２（ａ）に示すように、インク吐出ノズル１０に対応して設けられたインク室１４内に補充される。そして、このインク室１４内の発熱素子１５が所定のパルス信号を受けて発熱すると、その熱でインク室１４内のインク１６が加熱されてインク吐出ノズル１０から液滴として吐出される。具体的には、図２（ａ）に示す発熱素子１５に、例えば１〜３マイクロ秒程度の間だけパルス信号が供給されると、発熱素子１５が急速に発熱する。この発熱素子１５の発熱によりインク室１４内のインク１６が加熱され、図２（ｂ）に示すように、発熱素子１５の下面側のインク１６内に気泡Ｂが発生する。そして、このインク室１４内にて膨張する気泡Ｂによって、インク１６が押し退けられ、図２（ｃ）に示すように、インク吐出ノズル１０からインク１６の液滴を吐出することができる。
【００２３】
また、インク吐出ノズル１０からインク１６の液滴が吐出された後は、図２（ａ）に示すように、インク室１４内にインク１６が補充されるので、この補充されたインク１６により発熱素子１５が冷却されて気泡Ｂが消失し、再び吐出前の状態に戻る。すなわち、インク室１４内のインク１６に加えられた負圧によって、インク吐出ノズル１０からインク１６が自然漏出しないようになり、インク吐出ノズル１０内のインク１６には表面張力による凹状のメニスカス１７が形成された状態となる。この状態で長時間待機状態が続いた場合には、たとえプリントヘッド３にヘッドキャップ（図示せず）を被せた場合でも、インク吐出ノズル１０内のインク１６が空気と触れることがあるため、図２（ａ）に示すように、該インク吐出ノズル１０内におけるインク１６のメニスカス１７が乾燥して徐々に増粘、固化するようになる。そのため、プリンタの電源投入時や印刷開始前に、インク室１４内のインク１６に滞った空気（図示せず）を取り除く目的も含めて、インク吐出ノズル１０からインク１６の空吐出を行う。これにより、インク吐出ノズル１０内で増粘、固化したインク１６が廃棄される。
【００２４】
ここで、本発明においては、図１に示すように、上記プリントヘッド３内に供給されるインク１６と非接触となる部位に、例えばインクタンクホルダ７の底面部にてインクタンク１のゴム栓８の両側に、二つのヒータ４，４が設けられている。このヒータ４は、プリントヘッド３内に供給するためにインクタンク１内に収容されたインク１６を、インクタンク１の外部から間接的に加熱して一定温度以上に保持する液体加熱保温手段となるものであって、該ヒータ４と電気的に接続されたヒータ制御回路５により、発熱温度を制御可能となっている。また、インクタンクホルダ７の側面部にてインクタンク１の底面の近傍には、温度センサ６が設けられている。この温度センサ６は、インクタンク１内に収容されたインク１６の温度を検知する手段となるもので、上記ヒータ制御回路５と電気的に接続されている。そして、上記温度センサ６によって検知されたインク１６の温度の検知信号はヒータ制御回路５に送られ、この検知信号に基づいてヒータ制御回路５がヒータ４の発熱温度を制御するようになっている。
【００２５】
次に、このように構成されたインクジェットプリンタの動作について説明する。まず、図１において、プリントヘッド３は、インク吐出ノズル１０（図２参照）からインク１６を吐出可能な状態で待機しているとする。次に、プリンタ本体の電源を入れると、上記温度センサ６でインクタンク１内のインク１６の温度を検知し、この検知信号がヒータ制御回路５に送られる。このとき、インクタンク１内のインク１６の温度が所定温度（例えば２５℃）以下と検知された場合には、ヒータ制御回路５からの制御信号を受けてヒータ４が発熱し、インクタンク１内のインク１６を加熱する。上述したように、ヒータ４はインクタンクホルダ７の底面部に設けられているので、インクタンク１内のインク１６を直接加熱せずに、インクタンク１を介して間接的に加熱することができる。これにより、インク１６が急激に加熱されずに、ゆっくりと徐々に温められるので、熱によるインク１６の変質を防止することができる。さらに、インクタンク１内のインク１６が十分加熱されて粘度が十分に低下したときには、ヒータ制御回路５の制御によりヒータ４が発熱しなくなる。
【００２６】
そして、図２に示すように、この状態でインク室１４内の発熱素子１５を駆動すると、インク室１４内のインク１６をインク吐出ノズル１０から液滴として吐出することができる。このとき、インクタンク１内のインク１６が十分に加熱されてから、インク吐出ヘッド３内にインク１６が供給されるようになっているので、インク室１４内のインク１６が一定温度以上に保持された状態となり、プリント動作の途中でインク１６の粘度が変化することを防止することができる。したがって、図１に示すライン型ヘッドのインクジェットプリンタに適用した場合においても、インク吐出性能を維持することができる。特に気温が低い時期や、空調で室温が低く設定された室内のような低温環境下においても、安定したインク吐出性能を維持することができる。また、上記インクタンク１内にはインク１６を加熱する手段を設けなくてよいため、該インクタンク１のコストを低減することができる。
【００２７】
なお、以上のようにインクジェットプリンタを動作させた場合には、インクの吐出性能を維持して印刷物の画質を向上させるという効果があるものの、印刷する前にインクタンク１内のインク１６を温める必要があるため、印刷開始（ファーストプリント）までに時間がかかるのが難点である。特に、インクタンク１の容量が大きいほど、その問題点が顕著になり、ユーザーにとっては好ましくない事態といえる。そのため従来技術にあったプリントヘッド３内のヒータでインクをプリヒートする技術と共に運用する事で、電源投入直後の使用にも支障のないインクジェットプリンタを構成できる。
【００２８】
また、以上の説明においては、ヒータ４はインクタンクホルダ７の底面部に設けられているとしたが、本発明はこれに限られず、プリントヘッド３内に供給されるインク１６と非接触となる部位であれば、どの位置でもよい。例えば、図１に示すように、インク供給管２の外側に、上述したと同様のヒータ４′，４′を設けてもよい。これにより、たとえインク供給管２の流路が長い場合であっても、インク供給管２内を流れるインク１６の温度低下を防止することができる。したがって、プリントヘッド３内に供給されるインク１６の温度低下による増粘を防止することができる。
【００２９】
図３は、本発明の第２の実施形態を示す概要図である。この実施形態は、インクタンク１内に収容されたインク１６の供給流路となるインク供給管２の途中に、上記インクタンク１内から流出したインク１６を該インクタンク１に戻すインク還流管２０を備え、このインク還流管２０の途中に送液ポンプ２１を設けると共に、上記インク還流管２０の外側に図１に示すと同様のヒータ４を備えたものである。この場合は、上記ヒータ４で一定温度以上に保持されたインク１６をインク還流管２０を介してインクタンク１内に戻すことができる。これにより、プリントヘッド３に供給するためにインクタンク１内に収容されたインク１６が温度低下により増粘するのを防止することができる。したがって、プリントヘッド３のインク吐出ノズル１０（図２参照）から吐出されるインク１６の液滴の大きさを均一にして、インク吐出性能を維持することができる。
【００３０】
図４は、本発明の第３の実施形態を示す概要図である。この実施形態は、インクタンク１内に収容されたインク１６の供給流路となるインク供給管２の途中にインク１６を一時的に貯留しておくサブタンク２２を設けると共に、このサブタンク２２からプリントヘッド３に供給されたインク１６を該サブタンク２２に戻すインク還流管２３を備え、このインク還流管２３の途中に送液ポンプ２４を設けると共に、上記サブタンク２２の外側に図１に示すと同様のヒータ４を備えたものである。この場合は、上記ヒータ４で一定温度以上に保持されてプリントヘッド３内に供給されたインク１６をインク還流管２３を介してサブタンク２２に戻すことができる。これにより、プリントヘッド３内に供給するためにサブタンク２２内に収容されたインク１６が温度低下により増粘するのを防止することができる。したがって、プリントヘッド３のインク吐出ノズル１０（図２参照）から吐出されるインク１６の液滴の大きさを均一にして、インク吐出性能を維持することができる。
【００３１】
なお、図２において、プリントヘッド３のインク吐出ノズル１０に対応して設けられたインク室１４内には、インク１６を加熱して吐出する発熱素子１５が形成されているとして説明したが、本発明はこれに限られず、インク室１４内のインク１６を吐出する駆動素子として、例えば圧電素子等の電気機械変換素子を形成し、この圧電素子でインク室１４内のインク１６を押し出して吐出させるものでもよい。
【００３２】
さらに、本発明による液体吐出装置の液体吐出ヘッドは、ライン型のプリントヘッドに限られず、シリアル型のプリントヘッドに適用することもできる。
【００３３】
さらにまた、以上の説明においては、インクジェットプリンタに適用された例について述べたが、本発明はこれに限らず、液体吐出ヘッドの液室に収容された液体を液体吐出ノズルから液滴として吐出するものであればどのようなものでもよい。例えば、記録方式がインクジェット方式のファクシミリ装置や複写機等についても適用可能である。また、液体吐出装置の液体吐出ヘッドのノズルから吐出される液体はインクに限られず、液室内の液体を吐出してドット列又はドットを形成するものであれば、他の液体の吐出装置にも適用することができる。例えば、ＤＮＡ鑑定などにおいてＤＮＡ含有溶液をパレット上に吐出するための液体吐出装置や、プリント配線基板の配線パターンを形成するための導電性粒子を含む液体を吐出する液体吐出装置にも適用することができる。
【図面の簡単な説明】
【００３４】
【図１】本発明による液体吐出装置の実施形態を示す概要図である。
【図２】図１に示す液体吐出装置のプリントヘッドのＡ−Ａ線断面図であり、インク吐出ノズルからインクを吐出する動作を示す説明図である。
【図３】上記液体吐出装置の第２の実施形態を示す概要図である。
【図４】上記液体吐出装置の第３の実施形態を示す概要図である。
【符号の説明】
【００３５】
１…インクタンク
２…インク供給管
３…プリントヘッド
４，４′…ヒータ
５…ヒータ制御回路
６…温度センサ
７…インクタンクホルダ
８…ゴム栓
９…インク調整弁
１０…インク吐出ノズル
１１…基板部材
１２…バリア層
１３…ノズル部材
１４…インク室
１５…発熱素子
１６…インク
２０…インク還流管
２１…送液ポンプ
２２…サブタンク
２３…インク還流管
２４…送液ポンプ
【図１】
2005131829.tif 000003
【図２】
2005131829.tif 000004
【図３】
2005131829.tif 000005
【図４】
2005131829.tif 000006